(57)【要約】【課題】  釣り竿全体をしっかりと支えることができるとともに、握りやすく、手が痛くならないようにする。【解決手段】  リアグリップ２の前方においてロッド１まわりに設けられるパイプ状のフレーム４と、パイプ状のフレーム４の外周面に設けられるリールシート６と、リールシート６の前端に螺着する筒状のフロントグリップ７とを備え、パイプ状のフレーム４の前端をリールシート６の前端から突出させるとともに、その突出部分４ａの前端４ｂにサポートグリップ１１を設ける。例えば大きな魚がヒットしたような場合には、左手でサポートグリップ１１を握ることができ、これにより、釣り竿全体をしっかりと支えることができるとともに、操作性に優れ、左手が痛くなるようなこともない。【選択図】  図１
2006014613.tif 000002
【特許請求の範囲】
【請求項１】
少なくともリアグリップの前方においてロッドまわりに設けられるパイプ状のフレームと、
上記パイプ状のフレームの外周面に設けられるリールシートと、
上記リールシートの前端に螺着する筒状のフロントグリップと、
上記フロントグリップの前方に配設されるサポートグリップとを備えたことを特徴とする釣り竿。
【請求項２】
上記パイプ状のフレームの前端を上記リールシートの前端から突出させるとともに、その突出部分の前端に上記サポートグリップを設けたことを特徴とする請求項１に記載の釣り竿。
【請求項３】
上記サポートグリップは、上記ロッドが挿通するロッド挿通穴と、上記ロッド挿通穴の後端に同軸上に形成された上記フレームの前端を組み付けるためのフレーム組み付け穴とを有する筒状であることを特徴とする請求項２に記載の釣り竿。
【請求項４】
上記サポートグリップの前端及び後端のうち少なくともいずれか一方にリング部材が設けられることを特徴とする請求項１〜３のいずれか１項に記載の釣り竿。
【発明の詳細な説明】
【技術分野】
【０００１】
本発明は、リールを装着することのできる釣り竿に関する。
【背景技術】
【０００２】
リールを装着することのできる釣り竿として、例えば図４に示すように、リールシート５０を挟んで前方にフロントグリップ５１を有し、後方にリアグリップ５２を有するものが知られている。
【発明の開示】
【発明が解決しようとする課題】
【０００３】
ところで、この種の釣り竿において、例えばリールシート５０の下方（図４の紙面奥側）にスピニングリールを装着する場合、通常は右手でリールシート５０部分を握るとともに、左手でリールのハンドルを操作するが、大きな魚がヒットしたようなときには、釣り竿全体を支えるために、図４に示すように、左手でフロントグリップ５１の前方を支えることがよくある。
【０００４】
しかしながら、従来の釣り竿では、フロントグリップ５１の前方とは、すなわちロッド５３そのものであり、そういった細い部分を握ることになるため、釣り竿全体をしっかりと支えることができず、操作性も悪く、更には左手が痛くなることがあった。
【０００５】
本発明は上記のような点に鑑みてなされたものであり、フロントグリップの前方を支えやすくして、釣り竿全体をしっかりと支えることができるとともに、操作性に優れ、手が痛くなることがないようにすることを目的とする。
【課題を解決するための手段】
【０００６】
本発明の釣り竿は、少なくともリアグリップの前方においてロッドまわりに設けられるパイプ状のフレームと、上記パイプ状のフレームの外周面に設けられるリールシートと、上記リールシートの前端に螺着する筒状のフロントグリップと、上記フロントグリップの前方に配設されるサポートグリップとを備えた点に特徴を有する。
本発明においては、上記パイプ状のフレームの前端を上記リールシートの前端から突出させるとともに、その突出部分の前端に上記サポートグリップを設けるようにしてもよい。この場合に、上記サポートグリップは、上記ロッドが挿通するロッド挿通穴と、上記ロッド挿通穴の後端に同軸上に形成された上記フレームの前端を組み付けるためのフレーム組み付け穴とを有する筒状であるものを用いればよい。
また、本発明においえは、上記サポートグリップの前端及び後端のうち少なくともいずれか一方にリング部材が設けられてもよい。
【発明の効果】
【０００７】
本発明によれば、必要なときにはフロントグリップの前方に配設されるサポートグリップを握ることができるので、釣り竿全体をしっかりと支えることができるとともに、握りやすく、手が痛くなるようなこともない。
【発明を実施するための最良の形態】
【０００８】
以下、添付図面を参照して、本発明の好適な実施形態について説明する。図１は本実施形態の釣り竿の側面図、図２は釣り竿の内部構成を説明するための図、図３は釣り竿の使用状態を上方から見た図である。
【０００９】
図２に示すように、釣り竿の後端側にはリアグリップ２が配設される。リアグリップ２の素材としては、コルク、ＥＶＡゴム（発泡ゴム）、カーボン、金属、ウレタン等が用いられる。リアグリップ２の後端には全体のバランスをとるためのおもりとしての役目も果たすエンドキャップ３が設けられる。
【００１０】
リアグリップ２の前方において、ロッド１まわりにはパイプ状のフレーム４が配設される。なお、図示例ではフレーム４がリアグリップ２の前端面に隣り合うように配置されるが、フレーム４の後端がリアグリップ２の内部まで入り込むような構成としてもよい。
【００１１】
フレーム４の外周面には、リアグリップ２の前方に一部が前方に向かうにつれて拡がるスカート状のフード５が配設され、更にフード５の前方にリールシート６が配設される。リールシート６はリール１００を装着するためのものであり、その素材としてはガラス混合樹脂等が用いられる。リールシート６の前端外周面には、後述する筒状のフロントグリップ７が螺着するためのネジ部６ａが形成される。
【００１２】
フロントグリップ７は、例えば筒体の外周面をグリップ体８で覆う構成とされ、図１に示すように、筒体の内周面にリールシート６のネジ部６ａに対応するネジ部７ａが形成される。グリップ体８の素材としては、リアグリップ２と同様にコルク、ＥＶＡゴム、カーボン、金属、ウレタン等が用いられる。
【００１３】
フロントグリップ７の後端面には、一部が後方に向かうにつれて拡がるスカート状のフード９が接着等により固定される。また、フロントグリップ７の前端面には、金属製のリング部材１０が接着等により固定される。このリング部材１０は、フロントグリップ７の内部に水が入り込まないようにするウォータプルーフ効果を発揮するものである。
【００１４】
ここで、図１、２に示すように、フレーム４はリールシート６の前端６ｂを超えて延出し、リールシート６の前端６ｂから所定の長さだけ突出する（突出部分４ａ）。
【００１５】
そして、フレーム４（突出部分４ａ）の前端４ｂには、サポートグリップ１１が設けられる。サポートグリップ１１の素材としては、リアグリップ２やフロントグリップ７（グリップ体８）と同様にコルク、ＥＶＡゴム、カーボン、金属、ウレタン等が用いられる。
【００１６】
サポートグリップ１１は、図２に示すように、ロッド１が挿通するロッド挿通穴１１ａと、ロッド挿通穴１１ａの後端に同軸上に形成され、フレーム４の前端４ｂを組み付けるためにフレーム４の外径と略同径とされたフレーム組み付け穴１１ｂとを有する筒状となっている。また、サポートグリップ１１は、前端側から後方に向かうにつれて拡径し（範囲Ｘ1）、途中からは徐々に縮径する（範囲Ｘ2）全体として丸みを帯びた外形を有する。
【００１７】
サポートグリップ１１の後端面には、金属製のリング部材１２が接着等により固定される。このリング部材１２は、サポートグリップ１１を保護するためのものであり、例えばフロントグリップ７が前方にストロークし過ぎてサポートグリップ１１にぶつかったような場合にも、サポートグリップ１１の後端エッジが欠ける等の損傷を防ぐことができる。また、リング部材１２の外周面に複数の凹部１２ａが形成されており、釣り竿を持ち運ぶような場合に、所望の凹部１２ａに釣り用ルアーのフックを引っ掛けることができる。
【００１８】
また、サポートグリップ１１の前端面にも、金属製のリング部材１３が接着等により固定される。このリング部材１３は、サポートグリップ１１の内部に水が入り込まないようにするウォータプルーフ効果を発揮するものである。
【００１９】
本実施形態の釣り竿は、図１に示すように、ユーザから見てリールシート６の下方にスピニングリールを装着するタイプである。スピニングリール１００を装着する場合、まずリールフット１０１の後端部１０１ｒをフード５内に挿入する。その状態で、フロントグリップ７をリールシート６側にねじ込むと、フロントグリップ７の後端のフード９がリールフット１０１の前端部１０１ｆを覆うかたちになるので、スピニングリール１００をリールシート６上に固定することができる。スピニングリール１００を取り外す場合は、逆の動作を行えばよい。
【００２０】
釣り竿を使用する場合は、図１に示すように、右手の中指２０１と薬指２０２の間にリールフット１０１を挟むようにしてリールシート６まわりを握り、キャスティングする。そして、図示しない釣り用ルアーが着水したら、左手でリール１００のハンドル１０２を操作して、釣り用ルアーをリトリーブ（引く）する。
【００２１】
以上述べた釣り竿では、フロントグリップ７の前方に所定の距離だけ離れてサポートグリップ１１が配設されるので、例えば大きな魚がヒットしたような場合に、図３に示すように、左手でサポートグリップ１１を握ることができる。これにより、釣り竿全体をしっかりと支えることができるとともに、操作性に優れ、左手が痛くなるようなこともない。
【００２２】
また、ロッド１だけでサポートグリップ１１が支持されるのではなく、延出させたフレーム４（突出部分４ａ）の前端４ｂでサポートグリップ１１が支持されるので、そのサポートグリップ１１を介して釣り竿全体を更にしっかりと保持することができる。
【００２３】
また、フレーム４を延出させることにより、リールシート６、フロントグリップ７、サポートグリップ１１までの剛性を高めるとともに、フレーム４を延出させない場合（すなわち、フレーム４の前端４ｂがリールシート６の前端６ｂと同位置にある場合）に比べてロッド１をより確実に保持することができる。
【００２４】
以上、本発明を種々の実施形態とともに説明したが、本発明はこれらの実施形態にのみ限定されるものではなく、本発明の範囲内で変更等が可能である。例えば、サポートグリップ１１の形状やサイズは図示したものに限られるものではない。また、リアグリップ２等の形状等についても図示したものに限られるものではない。
【図面の簡単な説明】
【００２５】
【図１】本実施形態の釣り竿の側面図である。
【図２】本実施形態の釣り竿の内部構成を説明するための図である。
【図３】本実施形態の釣り竿の使用状態を上方から見た図である。
【図４】従来の釣り竿の使用状態を上方から見た図である。
【符号の説明】
【００２６】
１      ロッド
２      リアグリップ
３      エンドキャップ
４      フレーム
４ａ    突出部分
４ｂ    前端
５      フード
６      リールシート
６ａ    ネジ部
６ｂ    前端
７      フロントグリップ
７ａ    ネジ部
８      グリップ体
９      フード
１０    リング部材
１１    サポートグリップ
１１ａ  ロッド挿通穴
１１ｂ  フレーム組み付け穴
１２    リング部材
１２ａ  凹部
１３    リング部材                                                                                
【図１】
2006014613.tif 000003
【図２】
2006014613.tif 000004
【図３】
2006014613.tif 000005
【図４】
2006014613.tif 000006